(57)【特許請求の範囲】
【請求項１】
不織布シートの幅方向に多数配列された口金から溶融紡糸された複数の糸条群を、エアサッカーを有する糸条吸引管で吸引するとともに、該吸引管出口側に設けられた衝突板に衝突帯電させて開繊し、該開繊した糸条群を捕集コンベアー上に吸引捕集してウエブを形成する不織布シートの製造方法において、上記シート幅方向に多数配設された、エアサッカーを有する糸条吸引管の吸引口を囲む紡糸室を設けるとともに、該紡糸室内に温調風を供給するための気流吹出しダクトと、該紡糸室内に供給された温調風を、糸条吸引管の近傍において、紡糸室の下部に設置された捕集コンベアー方向に向かって流出させることを特徴とする不織布シートの製造方法。
【請求項２】
不織布シートの幅方向に多数配列された口金から溶融紡糸された複数の糸条群を、エアサッカーを有する糸条吸引管で吸引するとともに、該吸引管出口側に設けられた衝突板に衝突帯電させて開繊し、該開繊した糸条群を捕集コンベアー上に吸引捕集してウェブを形成する不織布シートの製造装置において、上記シート幅方向に多数配設された、エアサッカーを有する糸条吸引管の吸引口を囲む紡糸室を設けるとともに、該紡糸室内に温調風を供給するための気流吹出しダクトと、該紡糸室内に供給された温調風を、糸条吸引管の近傍において、紡糸室の下部に設置された捕集コンベアー方向に向かって流出させる気流通路を設けたことを特徴とする不織布シートの製造装置。
【請求項３】
気流通路を、糸条吸引管の取付部で構成したことを特徴とする請求項２記載の不織布シートの製造装置。
【請求項４】
気流通路を二重構造にし、上部カバーは着脱自在としたことを特徴とする請求項２または３記載の不織布シートの製造装置。
【請求項５】
気流通路を、金網または多孔板で構成したことを特徴とする請求項２〜４のいずれかに記載の不織布シートの製造装置。
【発明の詳細な説明】
【０００１】
【発明の属する技術分野】
本発明は、捕集コンベアー上に均一なウエブを形成させるようにした不織布シートの製造方法および装置に関する。
【０００２】
【従来の技術】
従来より不織布シートの一製造方法として、いわゆるスパンボンド法が知られている。この方法は、複数のホール数を有する口金から紡出された糸条群をエアサッカーを有する吸引管で一まとめに吸引して所定の繊度に延伸すると共に、該吸引管の出口に設けられている衝突板に衝突させて開繊させ、この開繊された糸条束を下方に設けられた捕集コンベアー上に吸引させて、所定の幅と厚みを有する不織布シートを製造するものである。
【０００３】
【発明が解決しようとする課題】
しかしながら、近年生産性の向上を目的に、ウエブ幅を３ｍ以上の広幅となし、かつ口金のホール数の増大および単孔当りのポリマー吐出量の増大がなされており、これに伴ない、口金から紡出される糸条を吸引・延伸するためのエアサッカーでの空気使用量の増大、さらには吸引された糸条が空気とともに噴出されることによって生じる、下方向への多量の随伴気流が必要となるなどの問題が生じてきた。
【０００４】
また、紡出量増大およびユーザーからの要求で薄物シートの需要が拡がり、これに伴ない、捕集コンベアー速度も５０ｍ／ｍｉｎ以上と速くなっているなどにより、捕集コンベアー上に均一なウエブを形成させる必要から、該捕集コンベアーの下面から、前述の吸引管から噴出される空気流、該噴出空気により生じる十数倍の随伴空気流および捕集コンベアー走行により生じる随伴空気流以上の多量の空気を吸引する必要がある。
【０００５】
しかしながら、エアサッカーから噴出される空気量以外の大量の随伴空気量は、捕集コンベアーまわりから流入することになり、近年の広幅設備にあっては、捕集コンベアー中央部への供給空気量が不足する。このため吸引管から噴出され衝突板に衝突させて帯電・開繊した糸条が捕集コンベアー上に均一に吸引されにくくなり、帯電した糸条が舞い上ったり、あるいは捕集コンベアー上で搬送中にめくれる等、最終的に製造されるシートに欠点が入り、所望の品質が得られないという問題があった。
【０００６】
本発明は上記従来技術の欠点に鑑みてなされたもので、糸条吸引管から糸条と共に噴出される空気流によって生じる、下方向への多量の随伴空気流を上方から効果的に補給して捕集コンベアー上に均一なウエブを形成させることができる、不織布シートの製造方法および装置を提供することを目的とする。
【０００７】
【課題を解決するための手段】
上記目的を達成するため、本発明の不織布シートの製造方法は、不織布シートの幅方向に多数配列された口金から溶融紡糸された複数の糸条群を、エアサッカーを有する糸条吸引管で吸引するとともに、該吸引管出口側に設けられた衝突板に衝突帯電させて開繊し、該開繊した糸条群を捕集コンベアー上に吸引捕集してウエブを形成する不織布シートの製造方法において、上記シート幅方向に多数配設された、エアサッカーを有する糸条吸引管の吸引口を囲む紡糸室を設けるとともに、該紡糸室内に温調風を供給するための気流吹出しダクトと、該紡糸室内に供給された温調風を、糸条吸引管の近傍において、紡糸室の下部に設置された捕集コンベアー方向に向かって流出させることを特徴とする。
【０００８】
また、本発明の不織布シートの製造装置は、不織布シートの幅方向に多数配列された口金から溶融紡糸された複数の糸条群を、エアサッカーを有する糸条吸引管で吸引するとともに、該吸引管出口側に設けられた衝突板に衝突帯電させて開繊し、該開繊した糸条群を捕集コンベアー上に吸引捕集してウェブを形成する不織布シートの製造装置において、上記シート幅方向に多数配設された、エアサッカーを有する糸条吸引管の吸引口を囲む紡糸室を設けるとともに、該紡糸室内に温調風を供給するための気流吹出しダクトと、該紡糸室内に供給された温調風を、糸条吸引管の近傍において、紡糸室の下部に設置された。
【０００９】
【発明の実施の形態】
以下、本発明を図面に示す実施例に基づいてさらに詳細に説明する。
【００１０】
図１は本発明の不織布製造装置の概略側面図、図２は概略正面図、図３は糸条吸引管出口部詳細図である。
【００１１】
スピンブロック１に内蔵された複数の紡出孔を有する溶融紡糸口金２から紡出された糸条群Ｙは、エアサッカー３を有する糸条吸引管４により吸引され、所定の倍率に延伸されるとともに、糸条吸引管４の出口の噴射ノズル５から圧空と共に噴出されて前方に設けた衝突版６に衝突帯電され開繊される。開繊された糸条Ｙ′は紡糸室１４の下部に設置された捕集コンベアー７上に吸引捕集される。
【００１２】
該捕集コンベアー７は金網や合成樹脂ネット製などからなり、糸条の捕集部の下面には捕集コンベアー７を幅方向および進行方向に支持するための複数の支持部材８を有する吸引ボックス９があり、吸引ファン１０により、糸条吸引管４から噴出される空気流、該噴出空気流により生じる随伴気流、および捕集コンベアー７の走行により生じる随伴空気流を吸引して、捕集されたウエブ１１を搬送し、出口に設けられたニップ式加熱ロール装置１２により、熱セットされた不織布シート１３を形成し、図示しない巻取機で巻取るよう構成されている。
【００１３】
本発明においては、スピンブロック１から糸条吸引管４までの紡出糸条を取り囲む紡糸室１４が設けられている。該紡糸室１４は板またはシート部材などにより構成される。１６は温調風吹出しダクトであり、紡糸室内を所定温度に保つことにより前述した溶融紡糸口金２から紡出された糸条Ｙの冷却状態を安定させると共に、紡糸室１４に吹出した温調風１５は図３に示す如く、不織布シートの幅方向に多数配設された糸条吸引管４の近傍を下方向に、すなわち捕集コンベアー７の方向に流出させて、糸条吸引管４から糸条と共に噴出される空気流によって生じる多量の随伴空気流を供給するものである。
【００１４】
なお、糸条吸引管４の取付部は溶融紡糸口金２部からのポリマー屑、糸条屑等の落下物があるため、図３の如く上下二重構造にし、上部カバー１７は着脱容易にすることが好ましい。１８，１８′は空気流通路であり下部方向への空気流を容易にし、かつ捕集コンベアー上への落下物を防止する点から、金網又は多孔板で構成することが好ましい。
【００１５】
【発明の効果】
吸引管から糸条と共に噴出される空気流、および該空気流によって生じる下方向への十数倍の随伴空気流が上方紡糸室から効果的に補給されるため、広幅の装置にあっては、機側からの横向きの空気流を抑えることができるため、噴出され衝突板に衝突帯電した糸条群の開繊状態が向上する。また、捕集コンベアー上に吸引され搬送されるウエブの気流によるめくれ欠点等が防止できるため、広幅で薄目付品であっても、欠点のない高品質の不織布製造方法および装置を提供することができる。
【図面の簡単な説明】
【図１】本発明に係る不織布製造装置の概略側面図である。
【図２】図１の概略正面図である。
【図３】糸条吸引管出口部詳細図である。
【符号の説明】
１：スピンブロック
２：口金
３：エアサッカー
４：糸条吸引管
５：噴射ノズル
６：衝突板
７：捕集コンベアー
８：捕集コンベアー支持部材
９：吸引ボックス
１０：吸引ファン
１１：ウエブ
１２：加熱ロール
１３：不織布シート
１４：紡糸室
１５：温調風
１６：温調風吹出ダクト
１７：上部カバー
１８，１８′：通気通路
【図１】
0003648828.tif 000002
【図２】
0003648828.tif 000003
【図３】
0003648828.tif 000004